(57)【特許請求の範囲】
【請求項１】
マルチメディアブロードキャストおよびマルチキャストサービス（ＭＢＭＳ）のための無線通信システムであって、
前記システムは、
第１ＲＮＣ（Ｒａｄｉｏ  Ｎｅｔｗｏｒｋ  Ｃｏｎｔｒｏｌｌｅｒ）と、
専用チャネルを介して前記第１ＲＮＣからデータを受信する端末であって、能力不足により前記専用チャネルと他の専用チャネルとを同時に受信することができない端末と、
第２ＲＮＣであって、前記第２ＲＮＣは、前記端末の能力不足により２つの専用チャネルの設定ができないか否かを決定し、２つの専用チャネルの設定ができないと決定された場合に、前記第２ＲＮＣは、前記ＭＢＭＳでないサービスを前記第１ＲＮＣから受信している前記端末が、前記第２ＲＮＣが前記ＭＢＭＳをサポートする領域に移動すると、前記ＭＢＭＳでないサービスをサポートする前記第１ＲＮＣにＭＢＭＳの情報を提供する、第２ＲＮＣと
を含み、
前記第１ＲＮＣは、前記ＭＢＭＳの情報を受信し、前記ＭＢＭＳの情報を前記端末に提供し、
前記ＭＢＭＳの情報は、前記第２ＲＮＣがサポートできる全てのＭＢＭＳと、前記端末が加入している特定ＭＢＭＳと、前記ＭＢＭＳが利用可能であるか否かを示す情報とを示し、前記端末は、前記ＭＢＭＳの情報と前記端末の能力とに従って所望のサービスを選択する、システム。
【請求項２】
前記第１ＲＮＣは、ＳＲＮＣ（Ｓｅｒｖｉｎｇ  ＲＮＣ）である、請求項１に記載のシステム。
【請求項３】
前記第２ＲＮＣは、ＤＲＮＣ（Ｄｒｉｆｔ  ＲＮＣ）である、請求項１に記載のシステム。
【請求項４】
前記ＭＢＭＳの情報は、サービスＩＤと、サービスＩＤのリストとのうちの１つを含む、請求項１に記載のシステム。
【請求項５】
前記第２ＲＮＣは、ＭＣＣＨ（ＭＢＭＳ  Ｃｏｎｔｒｏｌ  Ｃｈａｎｎｅｌ）を介して直接前記端末に前記ＭＢＭＳの情報を伝達できる、請求項１に記載のシステム。
【請求項６】
前記第１ＲＮＣは、サービス通知メッセージを介して前記端末に前記ＭＢＭＳの情報を通知する、請求項１に記載のシステム。
【請求項７】
前記ＭＢＭＳの情報は、サービス指示メッセージを介して前記第１ＲＮＣに伝達される、請求項１に記載のシステム。
【請求項８】
前記サービス指示メッセージは、無線リンク設定／再構成応答および接続応答メッセージのうちの１つを含む、請求項７に記載のシステム。
【請求項９】
端末要求により特定サービスに対して無線リソースを設定するシステムにおけるマルチメディアブロードキャストおよびマルチキャストサービス（ＭＢＭＳ）のための無線通信方法であって、
前記方法は、
端末によって、専用チャネルを介して第１ＲＮＣ（Ｒａｄｉｏ  Ｎｅｔｗｏｒｋ  Ｃｏｎｔｒｏｌｌｅｒ）からデータを受信することであって、前記端末は、能力不足により前記専用チャネルと他の専用チャネルとを同時に受信することができない、ことと、
前記第１ＲＮＣから前記ＭＢＭＳでないサービスを受信している前記端末が移動して前記ＭＢＭＳをサポートする第２ＲＮＣに接続されると、前記第２ＲＮＣが、前記端末の能力不足により２つの専用チャネルの設定ができないか否かを決定することと、
２つの専用チャネルの設定ができないと決定された場合に、
前記第２ＲＮＣによって、ＭＢＭＳの情報を前記第１ＲＮＣに提供することであって、前記ＭＢＭＳの情報は、前記第２ＲＮＣによりサポートされている全てのＭＢＭＳと、前記端末が加入している特定ＭＢＭＳと、前記ＭＢＭＳが利用可能であるか否かを示す情報とを示す、ことと、
前記第１ＲＮＣによって、前記第２ＲＮＣから前記ＭＢＭＳの情報を受信し、前記ＭＢＭＳの情報を前記端末に提供することと、
前記端末が、前記ＭＢＭＳの情報と前記端末の能力とに従って所望のサービスを選択することと
を含む、方法。
【請求項１０】
前記第１ＲＮＣは、ＳＲＮＣ（Ｓｅｒｖｉｎｇ  ＲＮＣ）であり、前記第２ＲＮＣは、ＤＲＮＣ（Ｄｒｉｆｔ  ＲＮＣ）である、請求項９に記載の方法。
【請求項１１】
前記ＭＢＭＳの情報は、サービスＩＤと、サービスＩＤのリストとのうちの１つを含む、請求項９に記載の方法。
【請求項１２】
前記ＭＢＭＳの情報は、サービス可能指示メッセージを介して前記第１ＲＮＣに伝達され、サービス通知メッセージを介して前記端末に伝達される、請求項９に記載の方法。
【請求項１３】
マルチメディアブロードキャストおよびマルチキャストサービス（ＭＢＭＳ）を提供する方法であって、
前記方法は、
ＤＲＮＣ（Ｄｒｉｆｔ  ＲＮＣ（Ｒａｄｉｏ  Ｎｅｔｗｏｒｋ  Ｃｏｎｔｒｏｌｌｅｒ））によって、前記ＤＲＮＣが前記ＭＢＭＳをサポートする領域に移動している端末の能力不足により２つの専用チャネルの設定ができないか否かを決定することと、
２つの専用チャネルの設定ができないと決定された場合に、
前記ＭＢＭＳが利用可能であるか否かを示す情報を前記ＤＲＮＣから、前記ＭＢＭＳをサポートしないＳＲＮＣ（Ｓｅｒｖｉｎｇ  ＲＮＣ）に伝達することと、
前記ＭＢＭＳに関連する情報を前記ＤＲＮＣから前記端末に伝達することと、
前記端末が、前記ＭＢＭＳに関連する情報と前記端末の能力とに従って所望のサービスを選択することと
を含み、
前記ＭＢＭＳに関連する情報は、前記ＤＲＮＣによりサポートされている全てのＭＢＭＳと、前記端末が加入している特定ＭＢＭＳと、前記特定ＭＢＭＳが利用可能であるか否かとを示す、方法。
【発明の詳細な説明】
【技術分野】
【０００１】
本発明は、マルチメディアブロードキャスト及びマルチキャスト（ＭＢＭＳ）サービスのための無線通信システム及び方法に関し、特に、ＭＢＭＳサービス通知を受信するためのシグナリング伝送方法に関する。
【背景技術】
【０００２】
ＵＭＴＳ（Ｕｎｉｖｅｒｓａｌ  Ｍｏｂｉｌｅ  Ｔｅｌｅｃｏｍｍｕｎｉｃａｔｉｏｎｓ  Ｓｙｓｔｅｍ）は、欧州標準であるＧＳＭ（Ｇｌｏｂａｌ  Ｓｙｓｔｅｍ  ｆｏｒ  Ｍｏｂｉｌｅ  Ｃｏｍｍｕｎｉｃａｔｉｏｎｓ）から進化した第３世代移動通信システムであり、ＧＳＭコアネットワークとＷＣＤＭＡ（Ｗｉｄｅｂａｎｄ  Ｃｏｄｅ  Ｄｉｖｉｓｉｏｎ  Ｍｕｌｔｉｐｌｅ  Ａｃｃｅｓｓ）技術を基盤としてより向上した無線通信サービスの提供を目標とする。
【０００３】
図１は、従来技術及び本発明が適用されるＵＭＴＳシステムのネットワーク構造を示す図である。
【０００４】
図１に示すように、ＵＭＴＳシステムは、端末（又は、ユーザ装置（ＵＥ））、ＵＴＲＡＮ、及びコアネットワーク（ＣＮ）から構成される。前記ＵＴＲＡＮは、１つ以上の無線ネットワークサブシステム（Ｒａｄｉｏ  Ｎｅｔｗｏｒｋ  Ｓｕｂｓｙｓｔｅｍｓ：ＲＮＳ）を含み、各ＲＮＳは、１つの無線ネットワーク制御装置（Ｒａｄｉｏ  Ｎｅｔｗｏｒｋ  Ｃｏｎｔｒｏｌｌｅｒ：ＲＮＣ）と該ＲＮＣにより管理される１つ以上のＮｏｄｅ
Ｂを含む。前記ＲＮＣは、Ｎｏｄｅ  Ｂを管理し、該Ｎｏｄｅ  Ｂは、アップリンクで端末の物理層から伝送される情報を受信し、ダウンリンクで端末にデータを伝送することにより、端末とＵＴＲＡＮを接続するアクセスポイントの役割を果たす。前記ＲＮＣは、無線リソースの割り当て及び管理を担当し、前記ＣＮを接続するためのアクセスポイントの役割を果たす。
【０００５】
図２は、ＵＭＴＳネットワーク内におけるＵＴＲＡＮと端末との接続構造を示す。
【０００６】
図２に示すように、端末は、ＵＭＴＳから提供されるサービスを受信するためにＣＮに接続され、端末及びＣＮの情報は、ＵＴＲＡＮを介して伝送される。前記ＣＮ及びＲＮＣは、Ｉｕインタフェースで接続されてデータ及び制御メッセージを交換する。ＵＭＴＳネットワークに接続した各端末は、ＵＴＲＡＮ内の特定ＲＮＣにより管理されるが、ここで、端末を管理するＲＮＣをＳＲＮＣ（Ｓｅｒｖｉｎｇ  ＲＮＣ）という。すなわち、前記ＳＲＮＣは、特定端末のデータを伝送するためにＣＮとのアクセスポイントの役割を果たすＲＮＣである。前記ＳＲＮＣは、無線インタフェースで受信されるか、端末に伝送されるデータに対するＯＳＩ（Ｏｐｅｎ  Ｓｙｓｔｅｍ  Ｉｎｔｅｒｆａｃｅ）の第２層の役割を果たし、サービスの提供に適した無線リソースを割り当てる。前記ＳＲＮＣの無線リソース管理機能は、トランスポートチャネル設定、ハンドオーバー決定、及び電力制御（Ｏｐｅｎ  Ｌｏｏｐ  Ｐｏｗｅｒ  Ｃｏｎｔｒｏｌ）などの特定端末に関する全ての制御機能を含み、特定時点にＵＴＲＡＮを介してＣＮに接続した端末は、１つのＳＲＮＣのみを有する。
【０００７】
一般に、端末とＲＮＣ間の接続のためには１つのＲＮＣが使用されるが、端末が他のＲＮＣにより管理される領域に移動する場合は、該当地域のＲＮＣを介してＳＲＮＣに接続される。
【０００８】
前記端末は、初期にＲ１（ＲＮＣ１）を介してＣＮに接続される。しかし、端末がＲ２（ＲＡＮ２）により管理される領域（セル）に移動した場合、前記端末は、Ｒ２を経由してＩｕｒインタフェースでＲ１に接続される。この場合、前記Ｒ１は、端末を管理し、ＣＮとのアクセスポイントの役割を果たし、前記Ｒ２は、単にユーザデータのルーティング又は共用リソースの割り当ての機能を部分的に行う。ＵＭＴＳネットワークにおいて、前記Ｒ２のように、ＳＲＮＣを除いて端末に接続される全てのＲＮＣをＤＲＮＣ（Ｄｒｉｆｔ  ＲＮＣ）という。このように、１つの端末は、接続状態によって、ＤＲＮＣを有しないか、又は、１つもしくは複数のＤＲＮＣを有する。
【０００９】
前記ＳＲＮＣ及び前記ＤＲＮＣは、特定端末に関して論理的に区分される。しかし、ＵＴＲＡＮ内のＲＮＣとＮｏｄｅ  Ｂの関係は、従属的な関係であるので、Ｎｏｄｅ  Ｂの面からＲＮＣを区分することもできる。すなわち、Ｎｏｄｅ  Ｂ自身を管理するＲＮＣと他のＲＮＣを区分するために、特定Ｎｏｄｅ  Ｂを管理するＲＮＣをＣＲＮＣ（Ｃｏｎｔｒｏｌｌｉｎｇ  ＲＮＣ）という。すなわち、Ｎｏｄｅ  ＢとＩｕｂで接続され、Ｎｏｄｅ  Ｂの無線リソースを制御するＲＮＣが該当Ｎｏｄｅ  ＢのＣＲＮＣに該当し、ＵＴＲＡＮの構造上、ＣＲＮＣとＮｏｄｅ  Ｂは、１対多の関係を有する。前記ＣＲＮＣは、ＣＲＮＣ自身が管理しているセル内でトラフィックのロード制御及び輻輳（ｃｏｎｇｅｓｔｉｏｎ）制御、並びにこのセル内に設定される新しい無線リンクの承認制御及びコード割り当て機能を行う。
【００１０】
無線リソース制御（Ｒａｄｉｏ  Ｒｅｓｏｕｒｃｅ  Ｃｏｎｔｒｏｌ：ＲＲＣ）層は、前記ＲＮＣ及び前記端末に位置する無線プロトコルの第３層に定義される。前記ＲＲＣは、無線ベアラ（Ｒａｄｉｏ  Ｂｅａｒｅｒ：ＲＢ）の設定、再設定、及び解除に関してトランスポートチャネル及び物理チャネルの制御を担当する。ここで、前記ＲＢとは、端末とＲＮＣ間のデータ伝送のために第２層Ｌ２により提供されるサービスを意味する。一般に、ＲＢの設定とは、特定サービスを提供するために必要なプロトコル層及びチャネルの特性を規定し、それぞれの具体的なパラメータ及び動作方法を設定することである。
【００１１】
以下、端末のＲＲＣ状態及びＲＲＣ接続方法について詳細に説明する。
【００１２】
ＲＲＣ状態とは、端末のＲＲＣがＵＴＲＡＮのＲＲＣと（論理的接続を形成するために）論理的に接続されているか否かを示す。端末のＲＲＣがＵＴＲＡＮのＲＲＣと論理的接続を形成している場合、これをＲＲＣ接続状態という。また、論理的接続がない場合、ＲＲＣアイドル状態という。端末がＲＲＣ接続状態にある場合、前記ＵＴＲＡＮは、該当端末の存在をセル単位で把握できるので、端末を効果的に制御できる。それに対して、前記ＵＴＲＡＮは、アイドル状態にある端末を把握することはできない。前記アイドル状態にある端末は、セルより大きい地域単位であるロケーションエリア又はルーティングエリア単位でＣＮにより管理される。すなわち、アイドル状態にある端末は、大きい地域（ロケーションエリア又はルーティングエリア）単位で有無のみが把握され、音声やデータなどの通常の移動通信サービスを受信するためには、接続状態に移行しなければならない。
【００１３】
図３は、端末のＲＲＣ状態移行を示す図である。
【００１４】
図３に示すように、ユーザが端末の電源を最初につけると、前記端末は、まず適切なセルを探索した後、該当セルでアイドル状態を維持する。アイドル状態にあった端末は、ＲＲＣ接続を形成する必要がある場合、ＲＲＣ接続過程によりＵＴＲＡＮのＲＲＣとＲＲＣ接続を形成してＲＲＣ接続状態に移行する。アイドル状態にあった端末がＲＲＣ接続を形成する必要がある場合には様々な場合がある。例えば、ユーザが通話を試みることによりアップリンクデータ伝送が必要となる場合や、ＵＴＲＡＮからページングメッセージを受
信してこれに対する応答メッセージ送信が必要となる場合などがある。
【００１５】
以下、マルチメディアブロードキャスト／マルチキャストサービス（Ｍｕｌｔｉｍｅｄｉａ  Ｂｒｏａｄｃａｓｔ／Ｍｕｌｔｉｃａｓｔ  Ｓｅｒｖｉｃｅ  ：  ＭＢＭＳ）について詳細に説明する。
【００１６】
ＭＢＭＳとは、ダウンリンク専用のＭＢＭＳ無線ベアラサービスを利用して複数の端末にストリーミング及びバックグラウンドサービスを提供するサービスをいう。前記ＵＴＲＡＮにおいて、ＭＢＭＳベアラとしては、１対多無線ベアラ及び１対１無線ベアラを利用する。
【００１７】
前記ＭＢＭＳは、ブロードキャストモードとマルチキャストモードに分けられる。前記ＭＢＭＳブロードキャストモードは、ブロードキャスト領域内の全てのＵＥにマルチメディアデータを送信するためのサービスである。ここで、前記ブロードキャスト領域とは、ブロードキャストサービスが利用可能な領域をいう。それに対して、前記ＭＢＭＳマルチキャストモードは、マルチキャスト領域内の特定ユーザグループにマルチメディアデータを送信するためのサービスである。ここで、例えば、マルチキャスト領域とは、マルチキャストサービスが利用可能な領域をいう。前記マルチキャスト領域及び前記ブロードキャスト領域をサービス領域という。
【００１８】
図４は、ＵＭＴＳネットワークがマルチキャストモードを用いてＵＥに特定ＭＢＭＳサービス（サービス１）を提供する過程を示す図である。
【００１９】
ＭＢＭＳサービスを受信しようとするＵＥ１は、サービス１に加入する。ここで、加入とは、サービスプロバイダとユーザ間に関係を設定することをいう。また、ＭＢＭＳサービスを受信しようとする端末は、ネットワークにより提供されるサービス案内（Ｓｅｒｖｉｃｅ  ａｎｎｏｕｎｃｅｍｅｎｔ）を受信しなければならない。ここで、前記サービス案内とは、今後提供されるサービスのインデックス及び関連情報を端末に通知する機能をいう。特に、マルチキャストモードのＭＢＭＳサービスを受信しようとする端末は、マルチキャストグループに参加（Ｊｏｉｎｉｎｇ）しなければならない。ここで、マルチキャストグループとは、特定マルチキャストサービスを受信する端末のグループをいい、前記参加とは、特定マルチキャストサービスを受信しようとするマルチキャストグループに端末が合流する過程をいう。このような参加過程により、端末は、特定マルチキャストデータを受信しようとする意思をＵＭＴＳネットワークに通知できる。それに対して、特定マルチキャストグループに参加している端末がそのマルチキャストグループへの参加を終了する過程を脱退（ｌｅａｖｉｎｇ）という。各端末は、データ伝送前、伝送中、又は伝送後のいつでも前記加入、参加及び脱退過程を行うことができる。
【００２０】
特定ＭＢＭＳのサービス中に、該当サービスに対する１つ以上のセッションが順次発生する。ＣＮは、ＭＢＭＳデータソースにＭＢＭＳサービスのために伝送されるデータが発生した場合、ＲＮＣにセッション開始を通知する。それに対して、前記ＭＢＭＳソースに特定ＭＢＭＳサービスのために伝送するデータがない場合、前記ＣＮは、前記ＲＮＣにセッション中断を通知する。従って、前記特定ＭＢＭＳサービスのためのデータ伝送は、セッション開始とセッション中断との間に行われる。ここで、特定ＭＢＭＳサービスのためのマルチキャストグループに参加している端末のみがデータ伝送過程により伝送されるデータを受信できる。
【００２１】
前記セッション開始過程で、前記ＣＮからセッション開始を受信したＲＮＣは、端末にＭＢＭＳ通知（ＭＢＭＳ  Ｎｏｔｉｆｉｃａｔｉｏｎ）を伝送する。ここで、ＭＢＭＳ通知とは、あるセル内に特定ＭＢＭＳサービスのデータ伝送が差し迫ったことをＲＮＣが端
末に通知する機能をいう。このＭＢＭＳ通知は、サービスの実際のデータが伝送されるまでに少なくとも１回伝送される。前記ＲＮＣは、ＭＢＭＳ通知過程により、特定セル内で特定ＭＢＭＳサービスを受信しようとする端末の数を把握する集計（Ｃｏｕｎｔｉｎｇ）機能を実行することができる。集計機能は、特定ＭＢＭＳサービスを提供する無線ベアラを１対多に設定するか、１対１に設定するか、又は無線ベアラを設定しないかを決定するために使用される。
【００２２】
ＭＢＭＳ無線ベアラを選択するために、前記ＲＮＣは内部的に閾値を設定する。前記ＲＮＣは、集計機能を行った後、該当セルに存在する端末の数が閾値より少ない場合、１対１ＭＢＭＳ無線ベアラを設定し、該当セルに存在する端末の数が閾値より多い場合、１対多ＭＢＭＳ無線ベアラを設定する。このように、ＭＢＭＳ無線ベアラを決定した後、前記ＲＮＣは、該当無線ベアラに関する情報を端末に通知する。特定サービスに対して１対１無線ベアラが設定される場合、該当サービスを受信しようとする全ての端末は、ＲＲＣ接続モード状態にある。しかし、特定サービスに対して１対多無線ベアラが設定される場合は、そのサービスを受信しようとす全ての端末がＲＲＣ接続モード状態にある必要はない。すなわち、ＲＲＣアイドルモード状態の端末も前記１対多無線ベアラを受信することができる。しかし、集計過程の結果、特定ＭＢＭＳサービスを受信しようとする端末がない場合、前記ＲＮＣは、無線ベアラを設定せず、ＭＢＭＳデータを伝送しない。その理由は、サービスを受信しようとするユーザがいないのに、ＲＮＣが無線ベアラを設定することは、無線リソースの浪費であるためである。また、前記ＣＮからＭＢＭＳサービスの１セッション中にＭＢＭＳサービスのデータが伝送されると、前記ＲＮＣは、設定された無線ベアラを利用してデータ伝送を開始し、ＣＮからセッション中断メッセージを受信すると、予め設定された無線ベアラを解除する。
【００２３】
ＭＢＭＳサービス領域（ＭＢＭＳ  ｓｅｒｖｉｃｅ  ａｒｅａ）とは、特定端末が加入しているＭＢＭＳサービスをサポートするセルから構成された領域をいう。ＭＢＭＳサービス領域は、１つ以上のセルの集合から構成され、１つのＲＮＣにより管理されるセルで構成されるか、又は複数のＲＮＣにより管理される領域にわたって位置する。隣接セル情報リスト（Ｌｉｓｔ  ｏｆ  ｎｅｉｇｈｂｏｒｉｎｇ  ｃｅｌｌ  ｉｎｆｏｒｍａｔｉｏｎ）とは、ＲＮＣに隣接して位置するＤＲＮＣにより管理されるセルの情報を含むリストをいう。
【００２４】
図５は、ＭＢＭＳ接続（ａｔｔａｃｈ）過程を示す図である。
【００２５】
図５に示すように、ＭＢＭＳサービスを提供するＲＮＣは、ＲＮＣ自身が担当するセル毎に、特定ＭＢＭＳサービスに参加している端末のうちＲＲＣ接続モード状態の端末を把握及び管理する。このために、前記ＲＮＣは、各セルのそれぞれのＭＢＭＳサービス毎にＲＲＣ接続モード端末リストを作成するが、前記ＲＲＣ接続モード端末リストは、特定ＭＢＭＳサービスに参加している端末の識別子（ＵＲＮＴＩ）を含む。
【００２６】
このＭＢＭＳ接続過程において、ＲＲＣ接続モード状態の端末が参加しているＭＢＭＳサービスのうち、サービス中のＭＢＭＳサービスの場合は、端末がＳＲＮＣにより管理されるセルからＤＲＮＣにより管理されるセルに移動したとき、また、サービス中でないＭＢＭＳサービスの場合は、端末がＳＲＮＣにより管理されるセルからＤＲＮＣにより管理されるセルに移動した後、ＭＢＭＳサービスに対してＳＲＮＣがＣＮからセッション開始メッセージを受信したときに、前記ＳＲＮＣが端末情報をＭＢＭＳ接続要求メッセージによりＤＲＮＣに伝達することで、ＤＲＮＣがＭＢＭＳサービスに対してＤＲＮＣ自身が管理するＲＲＣ接続モード端末リストに前記接続要求した端末を追加する過程をいう。ここで、前記ＭＢＭＳ接続要求メッセージは、端末が移動したセルのＩＤ、端末が参加しているＭＢＭＳサービスのＩＤ、及び端末のＵＲＮＴＩなどを含む。
【００２７】
前記ＳＲＮＣから特定端末に対するＭＢＭＳ接続要求メッセージが受信されると、該当端末に対してＲＲＣ接続モード状態維持のためのリソースを割り当てることができる場合、前記ＤＲＮＣは、端末のＭＢＭＳ接続要求を許可する。その後、前記ＤＲＮＣは、移動した前記端末が参加しているＭＢＭＳサービスに対するＲＲＣ接続モード端末リストに該当端末のＵＲＮＴＩを追加する。
【００２８】
その後、前記ＤＲＮＣは、ＭＢＭＳ接続応答メッセージにより前記ＳＲＮＣに肯定応答を送信し、これを受信したＳＲＮＣは、移動したセルにおいても端末の状態を続けてＲＲＣ接続モード状態に維持し、１対１無線ベアラを利用して前記ＭＢＭＳサービスデータを端末に伝送する。すなわち、前記ＭＢＭＳサービスデータは、ＳＲＮＣによりＤＲＮＣに伝送された後、再びＤＲＮＣを介して１対１無線ベアラを利用して端末に伝送される。
【００２９】
前記ＤＲＮＣは、前記ＳＲＮＣから特定端末に対するＭＢＭＳ接続要求メッセージを受信すると、これを常に許可するわけではない。前記ＤＲＮＣが端末のためにＲＲＣ接続を形成しても、ＲＲＣ接続モード状態を維持するリソースがない場合、前記ＤＲＮＣは、端末のＭＢＭＳ接続要求を拒否し、否定応答をＳＲＮＣに伝送する。
【００３０】
しかし、従来の技術では、各ＭＢＭＳサービス領域外にあった端末がＤＲＮＣに接続されると、次のような問題が発生する。
【００３１】
一般に、他のサービス領域にあるか、ＭＢＭＳサービス領域外にあった端末が、加入しているサービスがサポートできるサービス領域に位置するＤＲＮＣに接続される場合、該当端末は、移動したＤＲＮＣのＭＢＭＳ通知を受信して該当サービスに関する情報を得た後、サービスが開始されると、該当サービスを受信できる。
【００３２】
しかし、前記端末がＳＲＮＣから専用チャネルでデータを受信している端末である場合、前記端末は、能力不足によりＭＣＣＨ（ＭＢＭＳ  ｃｏｎｔｒｏｌ  ｃｈａｎｎｅｌ）とＤＣＣＨ（Ｄｅｄｉｃａｔｅｄ  ｃｏｎｔｒｏｌ  ｃｈａｎｎｅｌ）を同時に受信できない。前記ＤＲＮＣのＭＣＣＨを読み出すことができない場合、前記端末は、ＤＲＮＣにより提供されているサービスのタイプが分からないため、ＤＲＮＣが端末自身が加入しているＭＢＭＳサービスを送信しているにもかかわらず、ＭＢＭＳサービスが受信できないという問題が発生する。
【発明の開示】
【発明が解決しようとする課題】
【００３３】
従って、本発明の目的は、新しいセルに移動した端末に新しいサービスに関する情報を通知することにより、端末が新しいセルにおいて所望のサービスに対するチャネルの設定及び解除を選択できるマルチメディアブロードキャスト／マルチキャストサービス（ＭＢＭＳ）のための無線通信システム及び方法を提供することにある。
【課題を解決するための手段】
【００３４】
このような目的を達成するために、本発明による無線通信方法は、第１ＲＮＣで第１サービスを受信していた端末が移動して第２サービスを提供する第２ＲＮＣに接続されると、前記第２ＲＮＣが前記第１ＲＮＣに第２サービスの情報を通知し、また、前記第１ＲＮＣが端末に第２サービスの情報を通知し、前記端末が第２サービスの情報及び端末自身の能力によって受信しようとするサービスを選択する。
【００３５】
好ましくは、前記第１ＲＮＣはＳＲＮＣであり、前記第２ＲＮＣはＤＲＮＣである。
【００３６】
好ましくは、前記第１サービスが専用チャネルサービスである場合、前記第２サービスはＭＢＭＳサービスであり、前記第１サービスがＭＢＭＳサービスである場合、前記第２サービスは専用チャネルサービスである。
【００３７】
好ましくは、前記第２サービスの情報は、サービスＩＤ又はサービスＩＤのリストである。また、前記第２サービスの情報は、ＲＮＣが提供できる全てのサービス、端末が加入している特定サービス、及び単なるサービス可能又は不可能に関する情報を示す。
【００３８】
好ましくは、前記第２サービスの情報は、サービス指示メッセージにより第１ＲＮＣに伝達され、また、サービス通知メッセージにより端末に伝達される。この場合、前記サービス指示メッセージは、無線リンク設定／再構成応答（Ｒａｄｉｏ  Ｌｉｎｋ  Ｓｅｔｕｐ／Ｒｅｃｏｎｆｉｇｕｒｅ  Ｒｅｓｐｏｎｓｅ）及び接続応答（Ａｔｔａｃｈ  Ｒｅｓｐｏｎｓｅ）メッセージである。
【００３９】
また、このような目的を達成するために、端末要求により特定サービスに対する無線リソースを設定するシステムにおいて、本発明は、第１ＲＮＣで第１サービスを受信していた端末が移動して第２サービスを提供する第２ＲＮＣに接続されると、前記第２ＲＮＣが第２サービスの情報を前記第１ＲＮＣと端末に通知し、前記端末が第２サービスの情報及び端末の能力によって受信しようとするサービスを選択する。
【００４０】
好ましくは、前記第１ＲＮＣはＳＲＮＣであり、前記第２ＲＮＣはＤＲＮＣである。
【００４１】
好ましくは、前記第１サービスが専用チャネルサービスである場合、前記第２サービスはＭＢＭＳサービスであり、前記第１サービスがＭＢＭＳサービスである場合、前記第２サービスは専用チャネルサービスである。
【００４２】
好ましくは、前記第２サービス情報は、サービスＩＤ又はサービスＩＤのリストである。
【００４３】
好ましくは、前記第２サービス情報は、ＤＲＮＣが提供できる全てのサービス、端末が加入している特定サービス、及び単なるサービス可能又は不可能に関する情報を示す。
【００４４】
好ましくは、前記第２サービス情報は、サービス指示メッセージによりＳＲＮＣに伝達され、サービス通知メッセージにより端末に伝達される。
【発明の効果】
【００４５】
従来は、ＳＲＮＣにおいて専用チャネルを設定していた端末が他の領域に移動した後、前記端末とＭＢＭＳサービスをサポートできるＤＲＮＣとの間に接続が設定される場合、前記ＤＲＮＣにＭＢＭＳサービス情報を受信するための専用チャネルが設定されると、前記ＤＲＮＣは、前記端末の能力によって、前記端末が受信しようとするサービスのためのチャネルの設定及び解除の選択をサポートできなかった。その結果、前記端末は、受信しようとするサービスに関する情報を受信できず、サービス中のサービスを受信できないという問題があった。
【００４６】
従って、本発明は、２つの専用チャネルを両方とも受信できない（すなわち、能力が足りない）端末が受信しようとするサービスを選択可能にするために、前記端末が移動したＲＮＣが前記ＭＢＭＳサービスがサポートできることを前記端末に通知することにより、前記端末が端末自身の選択によってチャネルを設定及び解除できるので、端末が受信しようとするサービスに関する情報を受信できなかったため前記サービスを受信することができないという問題を解決できる。
【発明を実施するための最良の形態】
【００４７】
本発明は、３ＧＰＰにより開発されたＵＭＴＳのような移動通信システムで実現される。しかし、本発明は、他の標準に準拠した通信システムにも適用される。以下、本発明の好ましい実施形態を詳細に説明する。
【００４８】
一般に、端末はＳＲＮＣから専用チャネルでサービスを受信している状態で、同時にＭＣＣＨ情報を受信できない場合もある。この場合、前記端末は、ＤＲＮＣにより管理されるセルにおいて端末自身が加入している特定ＭＢＭＳサービスが提供されているにもかかわらず、該当ＭＢＭＳサービスを受信できない。従って、本発明は、ＤＲＮＣにより管理されるセルにおいて端末が加入している特定ＭＢＭＳサービスが提供中であることを端末に通知する。
【００４９】
すなわち、本発明は、端末の移動性をサポートし、無線リソースを効率的に使用するために、システムが特定サービスの状態を端末に通知する無線通信システム及び方法を提案する。特に、本発明は、マルチメディアブロードキャスト／マルチキャストサービスをダウンリンクチャネルで複数の端末に伝送する無線システムにおいて、ＳＲＮＣがＤＲＮＣにＭＢＭＳ接続過程を行うとき、前記ＤＲＮＣによりサービスが提供できることをＳＲＮＣ及び端末に通知するマルチメディアブロードキャスト／マルチキャストサービスのための無線通信システム及び方法を提案する。
【００５０】
通常、特定ＳＲＮＣから専用チャネルでサービスを受信していても、ＭＢＭＳサービス領域外にあったためＭＢＭＳサービスを受信できなかった端末が、前記ＭＢＭＳサービス領域に属するＤＲＮＣに接続されることによりＭＢＭＳサービスを受信できるようになると、前記端末は、該当サービスに対するＭＢＭＳ通知を受信するためにリンクを設定しなければならない。この場合、本発明は、予め設定されている専用チャネル（ＤＣＣＨ）とサービス通知のための専用チャネル（ＭＣＣＨ）の設定が可能であることを端末及びＲＮＣ（ＳＲＮＣ）に通知することにより、端末の所望の無線リンクを設定又は解除できる。
【００５１】
前記内容をサポートするための方法には、ＳＲＮＣの状態によって２つの例があり、以下、この例について説明する。
【００５２】
１．ＳＲＮＣがＭＢＭＳサービスをサポートしない場合
この場合、ＳＲＮＣは、Ｒ６  ＭＢＭＳをサポートできないＲＮＣである。ここで、前記端末は、ＳＲＮＣを介して専用チャネルを設定することによりサービスを受信する。前記ＳＲＮＣがＭＢＭＳをサポートしないため、端末がＭＢＭＳサービスに加入を要求しても、端末のサービス加入は不可能である。この状態で、端末が移動してサービスをサポートできるＤＲＮＣに接続された場合、前記端末は、ＤＲＮＣから該当サービスに関する情報を得るために、専用チャネル（ＤＣＣＨ）を設定しなければならない。
【００５３】
２．ＳＲＮＣがＭＢＭＳサービスをサポートする場合
この場合、ＳＲＮＣは、Ｒ６  ＭＢＭＳをサポートできるＲＮＣである。ここで、前記端末は、ＲＲＣ接続状態で専用チャネルでサービスを受信すると共に、加入している多様なＭＢＭＳサービスのうち現在セルでサポートできるＭＢＭＳサービスを受信し、現在セルでサポートできないＭＢＭＳサービスは受信できない状態である。端末が移動すると、ＳＲＮＣは、ＤＲＮＣにＭＢＭＳ接続を要求し、前記端末は、加入しているＭＢＭＳサービスのうちＤＲＮＣによりサポートできるＭＢＭＳサービスがある場合、該当ＭＢＭＳサービスに関する情報を得るためにＤＲＮＣに専用チャネル（ＭＣＣＨ）を設定しなければならない。
【００５４】
図６は、本発明によるＭＢＭＳサービス通知を受信するためのシグナリング伝送方法を示すフローチャートである。
【００５５】
図６に示すように、端末が移動すると、ＳＲＮＣは、ＤＲＮＣにＭＢＭＳ接続を要求する（Ｓ１０、Ｓ１１）。ＭＢＭＳ接続の要求を受信したＤＲＮＣは、端末が加入しているＭＢＭＳサービスのうちＤＲＮＣ自身がサポートできるＭＢＭＳサービスの有無を確認する（Ｓ１２）。前記ＤＲＮＣは、サポートできるＭＢＭＳサービスが存在する場合、端末が該当サービスのための十分な能力を有するか否かを確認する（Ｓ１３）。すなわち、この段階は、ＤＲＮＣに専用チャネルを設定しなければならない前記２つのケースに対して、端末の能力不足により２つの専用チャネル（ＳＲＮＣのＤＣＣＨとＤＲＮＣのＭＣＣＨ）の設定ができるか否かを確認する段階である。
【００５６】
端末の能力不足により２つの専用チャネルの設定ができない場合、前記ＤＲＮＣは、前記ＳＲＮＣにＭＢＭＳサービスがサポートできること（すなわち、ＭＢＭＳサービス可能情報）を通知し（Ｓ１４）、端末の能力が十分である場合は、２つの専用チャネル（ＳＲＮＣのＤＣＣＨとＤＲＮＣのＭＣＣＨ）を設定する（Ｓ１７）。
【００５７】
従って、前記ＳＲＮＣは、前記ＭＢＭＳサービス可能情報に基づいて前記端末にいずれか１つのリンクを選択することを要求し、前記端末は、前記選択した情報によって、必要な場合は、ＳＲＮＣに接続の解除を要求する。すなわち、前記ＤＲＮＣは、ＳＲＮＣにＭＢＭＳサービスがサポートできることを通知し、前記ＳＲＮＣは、専用チャネルで該当状況を端末に通知する（Ｓ１５、Ｓ１６）。この情報は、Ｉｕｒメッセージ、例えば、無線リンク設定／再構成応答メッセージ又は接続応答メッセージにより伝達される。
【００５８】
また、図６において、前記ＤＲＮＣは、まずＵＥ能力がチャネル設定のために十分であるか否かを確認した後、ＳＲＮＣ（又は、端末）にＭＢＭＳサービスがサポートできるか否かを通知する。しかし、これに限定されるものではなく、ＤＲＮＣが以前のサービスに関する情報とＭＢＭＳサービスがサポートできるか否かを端末に伝達し、その結果、前記端末は、該当チャネルを設定及び解除できる。
【００５９】
一般に、前記端末がＳＲＮＣからＤＲＮＣに移動すると、このＭＢＭＳ接続過程により端末が加入しているＭＢＭＳサービスに関する情報はＳＲＮＣからＤＲＮＣに伝達される。これにより、前記端末が移動したＤＲＮＣは、前記端末が加入しているＭＢＭＳサービスのタイプに関する情報を認知した後、ＤＲＮＣ自身が提供できるＭＢＭＳサービスに関する情報をＳＲＮＣに伝達する。前記ＤＲＮＣが前記ＳＲＮＣに伝送するＭＢＭＳサービスに関する情報は、前記ＤＲＮＣが提供できる全てのＭＢＭＳサービスであるか、又はＤＲＮＣが提供しているＭＢＭＳサービスのうち端末が加入している特定ＭＢＭＳサービスである。また、前記ＤＲＮＣが前記ＳＲＮＣに伝送するＭＢＭＳサービスに関する情報は、特定の１つのＭＢＭＳサービスであるか、又はＭＢＭＳサービスがサポートできるという事実である。
【００６０】
前記ＤＲＮＣが提供できるＭＢＭＳサービスに関する情報を受信したＳＲＮＣは、専用チャネルを利用して端末に前記特定ＭＢＭＳサービスもしくは複数のＭＢＭＳサービスがＤＲＮＣによりサポートできることを通知するか、又は、ＭＢＭＳサービスがサポートできることを通知する。
【００６１】
図７は、ＤＲＮＣがＳＲＮＣ及び端末に特定サービスの状態を通知する一例を示す。
【００６２】
図７に示すように、前記ＤＲＮＣは、ＭＢＭＳサービス指示（ＭＢＭＳ  Ｓｅｒｖｉｃｅ  Ｉｎｄｉｃａｔｉｏｎ）メッセージによりＭＢＭＳサービス情報又はＭＢＭＳサービ
スに関するタイプ情報をＳＲＮＣに伝達する。前記ＭＢＭＳサービス情報は、ＤＲＮＣがサポートできるＭＢＭＳサービス情報、端末が加入しているＭＢＭＳサービスのうちＤＲＮＣがサポートできるＭＢＭＳサービスタイプ情報、又はＭＢＭＳサービス可能情報である。
【００６３】
前記ＭＢＭＳサービスタイプ情報を受信したＳＲＮＣは、ＳＲＮＣ自身により管理される前記端末が加入している特定ＭＢＭＳサービスがＤＲＮＣによりサポートできることが分かる。前記ＳＲＮＣは、専用チャネルを利用して前記ＭＢＭＳサービスがＤＲＮＣによりサポートできることを端末に通知する。ここで、ＭＢＭＳサービス指示メッセージは、ＭＢＭＳ接続、無線リンク設定、又は無線リンク再構成などである。
【００６４】
図８は、ＤＲＮＣがＳＲＮＣ及び端末に特定サービスの状態を通知する他の例を示す。
【００６５】
図８に示すように、前記ＤＲＮＣは、ＭＢＭＳサービス可能指示（ＭＢＭＳ  Ｓｅｒｖｉｃｅ  Ａｖａｉｌ  Ｉｎｄｉｃａｔｉｏｎ）メッセージを利用して前記ＤＲＮＣによりＭＢＭＳサービスがサポートできることを前記ＳＲＮＣに通知する。前記ＭＢＭＳサービス可能指示メッセージは、ＳＲＮＣからＤＲＮＣに移動した端末が加入しているＭＢＭＳサービスが、ＳＲＮＣによってはサポートできないがＤＲＮＣによりサポートできることを通知するために、又は、ＤＲＮＣによりＭＢＭＳサービスがサポートできることをＳＲＮＣに通知するために利用される。ＭＢＭＳサービス可能指示メッセージを受信したＳＲＮＣは、専用チャネルで端末にＭＢＭＳサービスがサポートできることを通知できる。
【００６６】
従って、前記端末は、選択的に専用チャネルを維持することもでき、これを解除してＤＲＮＣからＭＢＭＳサービス指示メッセージによりＭＢＭＳサービスタイプを把握した後、ＭＢＭＳサービスを受信することもできる。前記ＭＢＭＳサービス指示メッセージは、ＤＲＮＣのＭＣＣＨで端末に直接伝達される。
【００６７】
また、本発明は、説明の便宜のために、専用チャネルサービスの受信中に移動した後、ＭＢＭＳサービスをさらに受信する状況のみを考慮しているが、これに限定されるものではなく、ＭＢＭＳサービスの受信中に移動した後、専用チャネルサービスをさらに受信する場合にも同様に適用される。
【００６８】
本発明の思想や重要な特性から外れない限り、本発明は多様な形態で実現することができ、前述した実施形態によって限定されるものでなく、むしろ請求の範囲に記載の本発明の思想や範囲内で広く解釈されるべきであり、本発明の請求の範囲内で行われるあらゆる変更及び変形、並びに請求の範囲の均等物は本発明の請求の範囲に含まれる。
【図面の簡単な説明】
【００６９】
【図１】従来技術及び本発明が適用されるＵＭＴＳシステムのネットワーク構造を示す図である。
【図２】ＵＭＴＳネットワーク内におけるＵＴＲＡＮと端末との接続構造を示す。
【図３】端末のＲＲＣ状態移行を示す図である。
【図４】ＵＭＴＳネットワークがマルチキャストモードを用いてＵＥに特定ＭＢＭＳサービスを提供する一例を示す図である。
【図５】ＭＢＭＳ接続（Ａｔｔａｃｈ）過程を示す図である。
【図６】本発明によるＭＢＭＳサービスのためのシグナリング伝送方法を示すフローチャートである。
【図７】ＤＲＮＣがＳＲＮＣ及び端末に特定サービスの状態を通知する一例を示す。
【図８】ＤＲＮＣがＳＲＮＣ及び端末に特定サービスに対する状態を通知する他の例を示す図である。
【図１】
0004441570.tif 000002
【図２】
0004441570.tif 000003
【図３】
0004441570.tif 000004
【図４】
0004441570.tif 000005
【図５】
0004441570.tif 000006
【図６】
0004441570.tif 000007
【図７】
0004441570.tif 000008
【図８】
0004441570.tif 000009